(57)【要約】【課題】  ゴーストの発生、縦帯スジ、縦スジといった乱れた画像の原因となる寄生容量、配線抵抗の増大を回避するような映像信号入力ラインの配線レイアウトとする。【解決手段】  第１の映像信号入力ライン群を、当該第１の映像信号入力ライン群のｎ本の映像信号入力ラインが、画素アレイ部の左半分に配された信号ラインと、当該信号ラインの延長線上で交差するように配し、第２の映像信号入力ライン群を、当該第２の映像信号入力ライン群のｎ本の映像信号入力ラインが、画素アレイ部の右半分に配された信号ラインと、当該信号ラインの延長線上で交差するように配することで実現する。【選択図】  図２
2005070444.tif 000002
【特許請求の範囲】
【請求項１】
行方向に配された複数のゲートラインと、列方向に配された複数の信号ラインと、上記複数のゲートラインと上記複数の信号ラインとの各交差部に行列配置された画素を有する画素アレイ部と、
上記ゲートラインに接続され、上記ゲートラインを線順次駆動して行方向の上記画素を選択する垂直駆動回路と、
２ｎ（ｎは、自然数）系統に分かれた映像信号のうちｎ系統の映像信号を供給するｎ本の映像信号入力ラインからなる第１の映像信号入力ライン群と、
２ｎ系統に分かれた映像信号のうち、上記第１の映像信号入力ライン群で供給するｎ系統の映像信号以外のｎ系統の映像信号を供給するｎ本の映像信号入力ラインからなる第２の映像信号入力ライン群と、
上記複数の信号ラインのうち、上記画素アレイ部の左半分に配された上記信号ラインに接続され、さらに、ｎ本の信号ライン毎に上記第１の映像信号入力ライン群の上記ｎ本の映像信号入力ラインに対応して接続されるｎ個のサンプリングスイッチからなる複数の第１のサンプリングスイッチ群と、
上記複数の信号ラインのうち、上記画素アレイ部の右半分に配された上記信号ラインに接続され、さらに、ｎ本の信号ライン毎に上記第２の映像信号入力ライン群の上記ｎ本の映像信号入力ラインに対応して接続されるｎ個のサンプリングスイッチからなる複数の第２のサンプリングスイッチ群と、
上記複数の第１のサンプリングスイッチ群又は上記複数の第２のサンプリングスイッチ群の上記ｎ個のサンプリングスイッチをサンプリングパルスによりｎ個ずつ同時に駆動して、上記ｎ系統の映像信号をサンプリングし、上記垂直駆動回路で選択された行方向の上記画素に、サンプリングした上記ｎ系統の映像信号を書き込む水平駆動回路とを備え、
上記第１の映像信号入力ライン群は、当該第１の映像信号入力ライン群の上記ｎ本の映像信号入力ラインが、上記画素アレイ部の左半分に配された信号ラインと、当該信号ラインの延長線上で交差するように配され、
上記第２の映像信号入力ライン群は、当該第２の映像信号入力ライン群の上記ｎ本の映像信号入力ラインが、上記画素アレイ部の右半分に配された信号ラインと、当該信号ラインの延長線上で交差するように配されること
を特徴とする表示装置。
【請求項２】
上記第１の映像信号入力ライン群と、上記第２の映像信号入力ライン群とは、互いの上記ｎ本の映像信号入力ラインが左右対称となるように配されること
を特徴とする請求項１記載の表示装置。
【請求項３】
行方向に配された複数のゲートラインと、列方向に配された複数の信号ラインと、上記複数のゲートラインと上記複数の信号ラインとの各交差部に行列配置された画素を有する画素アレイ部と、
上記ゲートラインに接続され、上記ゲートラインを線順次駆動して行方向の上記画素を選択する垂直駆動回路と、
２ｎ（ｎは、自然数）系統に分かれた映像信号のうちｎ系統の映像信号を供給するｎ本の映像信号入力ラインからなる第１の映像信号入力ライン群と、
２ｎ系統に分かれた映像信号のうち、上記第１の映像信号入力ライン群で供給するｎ系統の映像信号以外のｎ系統の映像信号を供給するｎ本の映像信号入力ラインからなる第２の映像信号入力ライン群と、
上記複数の信号ラインのうち、上記画素アレイ部の左半分に配された上記信号ラインに接続され、さらに、ｎ本の信号ライン毎に上記第１の映像信号入力ライン群の上記ｎ本の映像信号入力ラインに対応して接続されるｎ個のサンプリングスイッチからなる複数の第１のサンプリングスイッチ群と、
上記複数の信号ラインのうち、上記画素アレイ部の右半分に配された上記信号ラインに接続され、さらに、ｎ本の信号ライン毎に上記第２の映像信号入力ライン群の上記ｎ本の映像信号入力ラインに対応して接続されるｎ個のサンプリングスイッチからなる複数の第２のサンプリングスイッチ群と、
上記複数の第１のサンプリングスイッチ群の上記ｎ個のサンプリングスイッチをサンプリングパルスの供給によりｎ個ずつ同時に駆動して、上記ｎ系統の映像信号をサンプリングし、上記垂直駆動回路で選択された行方向の上記画素にサンプリングした上記ｎ系統の映像信号を書き込む第１の水平駆動回路と、
上記複数の第２のサンプリングスイッチ群の上記ｎ個のサンプリングスイッチをサンプリングパルスの供給によりｎ個ずつ同時に駆動して、上記ｎ系統の映像信号をサンプリングし、上記垂直駆動回路で選択された行方向の上記画素に、サンプリングした上記ｎ系統の映像信号を書き込む第２の水平駆動回路とを備え、
上記第１の映像信号入力ライン群は、当該第１の映像信号入力ライン群の上記ｎ本の映像信号入力ラインが、上記画素アレイ部の左半分に配された信号ラインと、当該信号ラインの延長線上で交差するように配され、
上記第２の映像信号入力ライン群は、当該第２の映像信号入力ライン群の上記ｎ本の映像信号入力ラインが、上記画素アレイ部の右半分に配された信号ラインと、当該信号ラインの延長線上で交差するように配されること
を特徴とする表示装置。
【請求項４】
上記第１の映像信号入力ライン群と、上記第２の映像信号入力ライン群とは、互いの上記ｎ本の映像信号入力ラインが左右対称となるように配されること
を特徴とする請求項３記載の表示装置。
【請求項５】
上記第１の水平駆動回路、第２の水平駆動回路は、それぞれ上記第１のサンプリングスイッチ群の上記ｎ個のサンプリングスイッチ、上記第２のサンプリングスイッチ群の上記ｎ個のサンプリングスイッチに対し、同じタイミングで上記サンプリングパルスを供給すること
を特徴とする請求項３記載の表示装置。
【発明の詳細な説明】
【技術分野】
【０００１】
本発明は、アクティブマトリックス型の表示装置に関するものであり、詳しくは、複数画素に対して同時に映像信号を書き込んでいく、複数画素同時サンプリング方式を採用する表示装置において、映像信号を信号ラインに供給する映像信号入力ラインの配線レイアウトに関する。
【背景技術】
【０００２】
アクティブマトリクス型の表示装置、例えば、液晶表示装置などでは、液晶表示パネルの高精細化に伴い画素数が増加する傾向にある。このように画素数が増加した場合、１画素ずつ映像信号を書き込む点順次駆動では、書き込み時間が不足してしまうことから、外部から液晶表示パネルへ映像信号を供給する映像信号入力ラインを複数にし、この複数の映像信号入力ラインから供給される映像信号を同時にサンプリングして複数の画素に供給する複数画素同時サンプリング方式が採用されている。
【０００３】
複数画素同時サンプリング方式にて、液晶表示パネルを駆動させると、映像信号の十分な書き込み時間を得ることができる。したがって、ＸＧＡ（eXtended Graphic Array：１０２４×７６８）、ＳＸＧＡ（Super eXtended Graphic Array：１４００×１５００）、ＵＸＧＡ（Ultra eXtended Graphic Array：１６００×１２００）といった画素数を持つ高精細なアクティブマトリクス型の表示装置では、複数画素同時サンプリング方式を採用することで良好に映像信号の書き込みが実行できる。
【０００４】
【特許文献１】特開２００３−１２２３２２号公報
【発明の開示】
【発明が解決しようとする課題】
【０００５】
ところで、市場では、上述したような画素数よりも高い画素数のさらに高精細な表示装置が出現しており、例えば、投射型液晶表示装置においても、ＱＸＧＡ（Quad eXtended Graphic Array：２０４８×１５３８）といった３００万画素以上の画素数が求められている。
【０００６】
このＱＸＧＡに対応する表示装置を実現すべく、複数画素同時サンプリング方式を採用した場合、ＸＧＡの同時サンプリング数が１２であることから、ＸＧＡの４倍の画素数であるＱＸＧＡは、同時サンプリング数が４８になる。同時サンプリング数が４８になると、液晶表示パネルの信号ラインに映像信号を供給する映像信号入力ラインも４８本必要となる。
【０００７】
図４に、ＱＸＧＡに対応すべく、複数画素同時サンプリング方式を採用した、アクティブマトリクス型の表示装置５０の概略図を示す。表示装置５０は、画素アレイ部５５に対して、右方向から引き回して配線した４８本の映像信号入力ラインＳＩＧ１〜ＳＩＧ４８を備えている。
【０００８】
表示装置５０は、外部から映像信号入力ラインＳＩＧ１〜ＳＩＧ４８に供給される４８系統に分かれた映像信号を、サンプリングスイッチ群５２ｍがそれぞれ備える４８個のスイッチＨＳＷ１〜スイッチＨＳＷ４８によって４８画素同時サンプリングして、信号ライン５３に供給し、図示しないゲートラインによって選択された行方向の画素５４に書き込むという動作を行う。
【０００９】
しかしながら、このように映像信号入力ラインが増加すると、寄生容量、配線抵抗が増大してしまうことになる。
【００１０】
一般に、寄生容量は、配線を長くしたり、配線同士の交差部分が増えたりすることで増加し、寄生容量の容量負荷によって配線を通過する信号に対して遅延や、信号波形をなまらせるといった悪影響を与える。また配線抵抗は、配線を長くしたり、配線を細線にし配線の断面積を小さくすることで高くなり、寄生容量と同様に、配線を通過する信号に対して遅延や、信号波形をなまらせるといった悪影響を与える。
【００１１】
例えば、映像信号入力ラインを１２本から４８本に増加させ、図４に示すように、右方向、つまり一方向から引き回して、映像信号入力ラインＳＩＧ１〜ＳＩＧ４８を配線すると、この映像信号入力ラインＳＩＧ１〜ＳＩＧ４８から、サンプリングスイッチＨＳＷ１〜ＨＳＷ４８へ４８系統の映像信号を供給するための映像信号引き込みラインＢＳＩＧ１〜ＢＳＩＧ４８と、映像信号入力ラインＳＩＧ１〜ＳＩＧ４８との交差箇所が４倍に増加し、寄生容量を増大させてしまう。
【００１２】
また、映像信号入力ラインＳＩＧ１〜ＳＩＧ４８は、水平駆動回路５１からサンプリングスイッチ群５２ｍ（ｍは、自然数）に供給されるサンプリングパルスを伝送するサンプリングパルスラインＳＰｍとも交差しているため、同じ様に交差箇所が４倍に増加し、寄生容量を増大させてしまう。
【００１３】
さらに、図４に示すように、映像信号引き込みラインＢＳＩＧ１〜ＢＳＩＧ４８の配線長、サンプリングパルスラインＳＰｍの配線長も、それぞれ４倍になるため配線抵抗も増大してしまう。
【００１４】
また、映像信号入力ラインＳＩＧ１〜ＳＩＧ４８を、映像信号入力ラインが１２本だった場合と同じレイアウト面積で配線させるには、映像信号入力ラインＳＩＧ１〜ＳＩＧ４８を細線化する必要もあるため配線抵抗をさらに増大させてしまう。
【００１５】
このようにして、寄生容量、配線抵抗が増大すると、映像信号入力ラインＳＩＧ１〜ＳＩＧ４８、各映像信号引き込みラインＢＳＩＧ１〜ＢＳＩＧ４８を通過する４８系統の映像信号の信号波形は、図５（ａ）に点線から実線として示すように、立ち上がり立ち下がりにおいてなまってしまう。また、サンプリングパルスラインＳＰｍを通過するサンプリングパルスの信号波形も図５（ｂ），（ｃ），（ｄ）に点線から実線として示すように、立ち上がりや立ち下がりにおいてなまってしまう。
【００１６】
本来、図５（ｃ）に示すｋ段目のサンプリングパルスＶｈｋで、（ａ）に示す映像信号をサンプルホールドするはずが、図５（ｂ）に示すｋ−１段目のサンプリングパルスＶｈｋ−１で映像信号の立ち上がり部分をサンプルホールドしたり、図５（ｄ）に示すｋ＋１段目のサンプリングパルスＶｈｋ＋１で映像信号の立ち下がりをサンプルホールドすることになる。その結果、本来表示される画像から重複するようにずれて、同じ画像が表示される現象であるゴーストが発生してしまうといった問題がある。
【００１７】
一般に、このようなゴーストの発生を抑制するには、隣り合うサンプリングスイッチ群５２ｍに供給するサンプリングパルスの信号波形がオーバーラップしないだけ十分なゴーストマージンを確保することで対処することができる。
【００１８】
ところが、映像信号入力ラインを、図４に示すように映像信号入力ラインＳＩＧ１〜ＳＩＧ４８のように大幅に増加させた場合、上述した寄生容量、配線抵抗が大幅に増加し、映像信号、サンプリングパルス、どちらの信号波形もなまらせてしまうため、十分なゴーストマージン、例えば、３０ｎｓｅｃを確保するには、サンプリングパルスのパルス幅を１００ｎｓｅｃ以下の狭パルス幅にしなければならない。
【００１９】
ところで、サンプリングパルスのパルス幅を、上述したような１００ｎｓｅｃ以下の狭パルス幅にした場合、信号ラインへの書き込み時間が非常に短くなるため、所望の電位まで映像信号を書き込むことができない。したがって、サンプリングパルス幅がわずか数ｎｓｅｃ分だけ狭くなっただけで、信号ラインのホールド電位が大幅に低くなってしまう。
【００２０】
例えば、図６（ａ）に示すように、サンプリングパルスＶｈｋのパルス幅Ｔ１が狭パルス幅であるとすると、図６（ｃ）に示すように信号ラインのホールド電位が十分ではないことが分かる。さらに、図６（ｂ）に示すようにサンプリングパルスＶｈｋ＋１のパルス幅Ｔ２が、パルス幅Ｔ１よりも狭い場合には、信号ラインのホールド電位はさらに低くなり、サンプリングパルスＶｈｋで書き込まれた信号ラインの電位と、サンプリングパルスＶｈｋ＋１で書き込まれた信号ラインの電位とでは、大幅な電位差が生じてしまうことになる。
【００２１】
このように、信号ラインのホールド電位に大幅な差が生じてしまうと、表示される画像には、図７に示すような、同時サンプリングされる複数画素毎の周期的な縦帯スジが生じてしまうといった問題がある。
【００２２】
したがって、映像信号入力ラインを、例えば、４８本というように大幅に増加させて、画素アレイ５５に対して一方向から引き回して配線した場合、増大する寄生容量、配線抵抗によるゴーストを抑制することが困難であり、さらにゴーストを抑制すべくサンプリングパルス幅を狭パルス幅とした場合には、縦帯スジの発生という新たな問題を生じさせてしまうことになる。
【００２３】
また、映像信号入力ラインＳＩＧ１〜ＳＩＧ４８を一方向から配線すべく、引き回すと、例えば、映像信号入力ラインＳＩＧ１と、映像信号入力ラインＳＩＧ４８との配線長は大幅に異なり、寄生容量による容量負荷差も大幅に異なることになる。そのため、信号ラインのホールド電位にも差異が生じ、表示される画像は、同時サンプリングされる複数の画素間において濃淡が異なる縦スジが生じてしまうといった問題もある。
【００２４】
そこで、本発明は、上述したような問題を解決するために案出されたものであり、複数画素同時サンプリング方式の表示装置において、画素数を大幅に増加させ、解像度を高めた場合でも、ゴーストの発生、縦帯スジ、縦スジといった乱れた画像の原因となる寄生容量、配線抵抗を増大させることなく映像信号入力ラインを配した表示装置を提供することを目的とする。
【課題を解決するための手段】
【００２５】
上述の目的を達成するために、本発明に係る表示装置は、行方向に配された複数のゲートラインと、列方向に配された複数の信号ラインと、上記複数のゲートラインと上記複数の信号ラインとの各交差部に行列配置された画素を有する画素アレイ部と、上記ゲートラインに接続され、上記ゲートラインを線順次駆動して行方向の上記画素を選択する垂直駆動回路と、２ｎ（ｎは、自然数）系統に分かれた映像信号のうちｎ系統の映像信号を供給するｎ本の映像信号入力ラインからなる第１の映像信号入力ライン群と、２ｎ系統に分かれた映像信号のうち、上記第１の映像信号入力ライン群で供給するｎ系統の映像信号以外のｎ系統の映像信号を供給するｎ本の映像信号入力ラインからなる第２の映像信号入力ライン群と、上記複数の信号ラインのうち、上記画素アレイ部の左半分に配された上記信号ラインに接続され、さらに、ｎ本の信号ライン毎に上記第１の映像信号入力ライン群の上記ｎ本の映像信号入力ラインに対応して接続されるｎ個のサンプリングスイッチからなる複数の第１のサンプリングスイッチ群と、上記複数の信号ラインのうち、上記画素アレイ部の右半分に配された上記信号ラインに接続され、さらに、ｎ本の信号ライン毎に上記第２の映像信号入力ライン群の上記ｎ本の映像信号入力ラインに対応して接続されるｎ個のサンプリングスイッチからなる複数の第２のサンプリングスイッチ群と、上記複数の第１のサンプリングスイッチ群又は上記複数の第２のサンプリングスイッチ群の上記ｎ個のサンプリングスイッチをサンプリングパルスによりｎ個ずつ同時に駆動して、上記ｎ系統の映像信号をサンプリングし、上記垂直駆動回路で選択された行方向の上記画素に、サンプリングした上記ｎ系統の映像信号を書き込む水平駆動回路とを備え、上記第１の映像信号入力ライン群は、当該第１の映像信号入力ライン群の上記ｎ本の映像信号入力ラインが、上記画素アレイ部の左半分に配された信号ラインと、当該信号ラインの延長線上で交差するように配され、上記第２の映像信号入力ライン群は、当該第２の映像信号入力ライン群の上記ｎ本の映像信号入力ラインが、上記画素アレイ部の右半分に配された信号ラインと、当該信号ラインの延長線上で交差するように配されることを特徴とする。
【００２６】
また、上述の目的を達成するために、本発明に係る表示装置は、行方向に配された複数のゲートラインと、列方向に配された複数の信号ラインと、上記複数のゲートラインと上記複数の信号ラインとの各交差部に行列配置された画素を有する画素アレイ部と、上記ゲートラインに接続され、上記ゲートラインを線順次駆動して行方向の上記画素を選択する垂直駆動回路と、２ｎ（ｎは、自然数）系統に分かれた映像信号のうちｎ系統の映像信号を供給するｎ本の映像信号入力ラインからなる第１の映像信号入力ライン群と、２ｎ系統に分かれた映像信号のうち、上記第１の映像信号入力ライン群で供給するｎ系統の映像信号以外のｎ系統の映像信号を供給するｎ本の映像信号入力ラインからなる第２の映像信号入力ライン群と、上記複数の信号ラインのうち、上記画素アレイ部の左半分に配された上記信号ラインに接続され、さらに、ｎ本の信号ライン毎に上記第１の映像信号入力ライン群の上記ｎ本の映像信号入力ラインに対応して接続されるｎ個のサンプリングスイッチからなる複数の第１のサンプリングスイッチ群と、上記複数の信号ラインのうち、上記画素アレイ部の右半分に配された上記信号ラインに接続され、さらに、ｎ本の信号ライン毎に上記第２の映像信号入力ライン群の上記ｎ本の映像信号入力ラインに対応して接続されるｎ個のサンプリングスイッチからなる複数の第２のサンプリングスイッチ群と、上記複数の第１のサンプリングスイッチ群の上記ｎ個のサンプリングスイッチをサンプリングパルスの供給によりｎ個ずつ同時に駆動して、上記ｎ系統の映像信号をサンプリングし、上記垂直駆動回路で選択された行方向の上記画素にサンプリングした上記ｎ系統の映像信号を書き込む第１の水平駆動回路と、上記複数の第２のサンプリングスイッチ群の上記ｎ個のサンプリングスイッチをサンプリングパルスの供給によりｎ個ずつ同時に駆動して、上記ｎ系統の映像信号をサンプリングし、上記垂直駆動回路で選択された行方向の上記画素に、サンプリングした上記ｎ系統の映像信号を書き込む第２の水平駆動回路とを備え、上記第１の映像信号入力ライン群は、当該第１の映像信号入力ライン群の上記ｎ本の映像信号入力ラインが、上記画素アレイ部の左半分に配された信号ラインと、当該信号ラインの延長線上で交差するように配され、上記第２の映像信号入力ライン群は、当該第２の映像信号入力ライン群の上記ｎ本の映像信号入力ラインが、上記画素アレイ部の右半分に配された信号ラインと、当該信号ラインの延長線上で交差するように配されることを特徴とする。
【発明の効果】
【００２７】
本発明は、２ｎ系統に分かれた映像信号のうちのｎ系統の映像信号を供給する第1の映像信号入力ライン群のｎ本の映像信号入力ラインを、画素アレイ部の左半分に配された信号ラインと、当該信号ラインの延長線上で交差するように配し、ｎ系統の映像信号を供給する第２の映像信号入力ライン群のｎ本の映像信号入力ラインを、画素アレイ部の右半分に配された信号ラインと、当該信号ラインの延長線上で交差するように配することで、寄生容量、配線抵抗を大幅に減らすことができる。
【００２８】
したがって、映像信号、サンプリングパルスの波形のなまりが減少するため、ゴーストの発生を抑制することが可能となる。また、ゴーストの発生を抑制できるほど、サンプリングパルスのゴーストマージンを確保できることから、サンプリングした映像信号の書き込み時間が十分となり表示画像上の縦帯スジ発生を回避することが可能となる。
【００２９】
また、第１の映像信号入力ライン群のｎ本の映像信号入力ライン間、第２の映像信号入力ライン群のｎ本の映像信号入力ライン間、それぞれの寄生容量による容量負荷差が減少するため表示画像上の縦スジ発生を回避することが可能となる。
【００３０】
さらにまた、第１の水平駆動回路と、第２の水平駆動回路とを備える場合に、上記第１の水平駆動回路、上記第２の水平駆動回路から、それぞれ複数の第１のサンプリングスイッチ群、複数の第２のサンプリングスイッチ群に対して、同じタイミングでサンプリングパルスを供給することで、水平駆動回路が１つの場合と比較して映像信号の信号ラインへの書き込み時間を最大２倍まで取ることが可能となり、十分な書き込み時間の確保が実現できる。よって、ゴースト発生の確実な抑制、縦帯スジの除去を確実に実行することを可能とする。
【発明を実施するための最良の形態】
【００３１】
以下、本発明に係る表示装置の発明を実施するための最良の形態を図面を参照にして詳細に説明をする。
【００３２】
図１を用いて、本発明を実施するための最良の形態として示す表示装置１について説明をする。表示装置１は、画素アレイ部２と、垂直駆動回路３と、水平駆動回路４と、プリチャージ駆動回路５とを備えている。表示装置１は、複数画素同時サンプリング方式のアクティブマトリクス型の液晶表示装置であり、２０４８×１５３８の画素数であるＱＸＧＡ規格以上の画素数に対応している。
【００３３】
画素アレイ部２は、行状に配線された複数のゲートライン１１と、列状に配線された複数の信号ライン１２と、両ラインが交差する箇所に配された画素１３とを備えている。
【００３４】
画素１３は、図示しない薄膜トランジスタ（ＴＦＴ：Thin Film Transistor）と、同じく図示しない液晶セルとで構成されている。ＴＦＴのゲート電極は、対応するゲートライン１１に接続され、ソース電極は、対応する信号ライン１２に接続され、ドレイン電極は、対応する液晶セルの一方の電極（画素電極）に接続されている。液晶セルの他方の電極（対向電極）には、所定の対向電位が供給される。
【００３５】
垂直駆動回路３は、左右に分かれ、ゲートライン１１に接続され、接続された各ゲートライン１１を両側から線順次駆動し、画素１３を行単位で選択していく。
【００３６】
水平駆動回路４は、後述するサンプリングスイッチＨＳＷにサンプリングパルスを供給して、ＰＣ（Personal Computer）などの外部から後述する映像信号入力ラインを介して供給される２ｎ（ｎは自然数）系統の映像信号をサンプリングさせ、垂直駆動回路３でゲートライン１１を線順次駆動することで選択された画素１３の行にサンプリングされた映像信号を書き込ませる。上述したように、水平駆動回路４が行うサンプリング方式は、同時にサンプリングする映像信号を複数とし、複数の画素１３にサンプリングした映像信号を書き込む複数画素同時サンプリング方式であり、ｎ個の画素を同時サンプリングする。
【００３７】
プリチャージ駆動回路５は、映像信号の書き込みに先立って、あらかじめ、図示しないプリチャージラインを介して供給されたプリチャージ信号を、各信号ライン１２に印加してプリチャージを行う。このプリチャージは、各画素１３に対する映像信号の書き込みに先行する形で行われ、プリチャージ信号を複数画素同時サンプリング方式で信号ライン１２にサンプリングする。
【００３８】
続いて、図２を用いて、図１に示す表示装置１において、水平駆動回路４を含む領域Ａの詳細な構成について説明をする。なお、説明のため、表示装置１は、ＱＸＧＡ規格に対応し、当該表示装置１には、外部から４８系統（ｎ＝２４：２×２４＝４８）に分かれた映像信号が供給されるものとする。
【００３９】
図２に示すように、表示装置１では、合計４８本の映像信号入力ラインＳＩＧ１〜ＳＩＧ４８が、左右対称の配線レイアウトとなるように、画素アレイ部２に対して左方向及び右方向から２４本ずつ引き回されている。
【００４０】
水平駆動回路４に対して左方向から引き回された映像信号入力ラインは、映像信号入力ラインＳＩＧ１〜ＳＩＧ２４で、水平駆動回路４に対して右方向から引き回された映像信号入力ラインは、映像信号入力ラインＳＩＧ２５〜ＳＩＧ４８である。
【００４１】
この映像信号入力ラインＳＩＧ１〜ＳＩＧ２４によって入力される２４系統の映像信号は、表示装置１の左半分の画素１３に供給され、映像信号入力ラインＳＩＧ２５〜ＳＩＧ４８によって入力される２４系統の映像信号は、表示装置１の右半分の画素１３に供給されることになる。
【００４２】
つまり、映像信号入力ラインＳＩＧ１〜ＳＩＧ２４は、画素アレイ部２の左半分に配された信号ライン１２と、この信号ライン１２の延長線上で交差するように配され、映像信号入力ラインＳＩＧ２５〜ＳＩＧ４８は、右半分に配された信号ライン１２と、この信号ライン１２の延長線上で交差するように配される。
【００４３】
また、表示装置１は、映像信号入力ラインＳＩＧ１〜ＳＩＧ２４、映像信号入力ラインＳＩＧ２５〜ＳＩＧ４８に供給される４８系統の映像信号を、信号ライン１２にサンプリングするためのサンプリングスイッチ群２０１〜サンプリングスイッチ群２０２ｍ（ｍは、自然数）を備えている。
【００４４】
映像信号入力ラインＳＩＧ１〜ＳＩＧ２４から供給される２４系統の映像信号を各信号ライン１２にサンプリングするサンプリングスイッチ群は、サンプリングスイッチ群２０１〜サンプリングスイッチ群２０ｍであり、映像信号入力ラインＳＩＧ２５〜ＳＩＧ４８から供給される２４系統の映像信号を各信号ライン１２にサンプリングするサンプリングスイッチ群は、サンプリングスイッチ群２０ｍ＋１〜２０２ｍである。
【００４５】
各サンプリングスイッチ群２０２ｍは、映像信号入力ラインＳＩＧ１〜ＳＩＧ２４又は映像信号入力ラインＳＩＧ２５〜ＳＩＧ４８より供給される２４系統の映像信号を、対応する信号ライン１２に、それぞれサンプリングするためのサンプリングスイッチＨＳＷ１〜ＨＳＷ２４を備えている。
【００４６】
また、各サンプリングスイッチ群２０２ｍには、当該サンプリングスイッチ群２０２ｍがそれぞれ備えるサンプリングスイッチＨＳＷ１〜ＨＳＷ２４を駆動させるためのサンプリングパルスが、サンプリングパルスラインＳＰ２ｍを介して水平駆動回路４から供給される。水平駆動回路４は、サンプリングパルスをサンプリングスイッチ群２０１から順に、所定のノンオーバーラップ時間毎にサンプリングラインＳＰ２ｍを介して供給していく。
【００４７】
映像信号入力ラインＳＩＧ１〜ＳＩＧ２４、映像信号入力ラインＳＩＧ２５〜ＳＩＧ４８からサンプリングスイッチ群２０２ｍの各サンプリングスイッチＨＳＷ１〜ＨＳＷ２４には、映像信号引き込みラインＢＳＩＧ１〜ＢＳＩＧ２４によって２４系統の映像信号が引き込まれる。
【００４８】
サンプリングパルスを受け取ったサンプリングスイッチ群２０２ｍでは、サンプリングスイッチＨＳＷ１〜ＨＳＷ２４が同時に駆動し、映像信号引き込みラインＢＳＩＧ１〜ＢＳＩＧ２４から引き込まれた２４系統の映像信号を、対応する信号ライン１２に同時にサンプリングすることになる。
【００４９】
このように、表示装置１は、４８本の映像信号入力ラインＳＩＧ１〜ＳＩＧ４８が、左右対称の配線レイアウトとなるように、画素アレイ部２に対して左方向及び右方向から２４本ずつ引き回されている。
【００５０】
これにより、サンプリングパルスをサンプリングスイッチ群２０２ｍに供給するサンプリングパルスラインＳＰ２ｍの寄生容量、配線抵抗は、ＵＸＧＡ規格に対応した２４画素同時サンプリング方式を採用する表示装置において、２４本の映像信号入力ラインを画素アレイ部に対して片側から引き回した場合の配線レイアウトと同程度となる。
【００５１】
したがって、４８本の映像信号入力ラインＳＩＧ１〜ＳＩＧ４８を片側から引き回した配線レイアウトにした場合と比較して、サンプリングパルスの信号波形のなまりを抑制することができる。
【００５２】
また、映像信号引き込みラインＢＳＩＧ１〜ＢＳＩＧ２４の寄生容量、配線抵抗も、２４本の映像信号入力ラインを画素アレイ部に対して片側から引き回した配線レイアウトと同程度となるため、４８本の映像信号入力ラインＳＩＧ１〜ＳＩＧ４８を片側から引き回した配線レイアウトにした場合と比較して、映像信号の信号波形のなまりを抑制することができる。
【００５３】
さらに、映像信号を供給する映像信号入力ラインＳＩＧ１〜ＳＩＧ２４、映像信号入力ラインＳＩＧ２５〜ＳＩＧ４８の寄生容量、配線抵抗は、それぞれ、２４本の映像信号入力ラインを画素アレイ部に対して片側から引き回した場合の配線レイアウトの半分となるため、映像信号の信号波形のなまりを大幅に抑制することができる。
【００５４】
したがって、サンプリングパルス、映像信号の信号波形のなまりを抑制できることから、ゴーストマージンを十分確保できるため、ゴーストの発生を抑制することが可能となる。また、ゴーストマージンの十分な確保によりサンプリングパルスのパルス幅を狭パルス幅にする必要がないため信号ライン１２への書き込み時間が十分となり、同時サンプリングされる複数画素毎の周期的な縦帯スジが画像に表示されることを抑制することができる。
【００５５】
さらにまた、４８本の映像信号入力ラインＳＩＧ１〜ＳＩＧ４８を片側から引き回した配線レイアウトにした場合と比較して、映像信号入力ラインＳＩＧ１〜ＳＩＧ２４間、映像信号入力ラインＳＩＧ２５〜ＳＩＧ４８間、それぞれにおける寄生容量の容量負荷差は、大幅に減少するため、同時サンプリングされる複数の画素間において発生する縦スジを抑制することができる。
【００５６】
図２に示すように表示装置１は、１つの水平駆動回路４によってサンプリングパルスをサンプリングスイッチ群２０２ｍに供給して複数画素同時サンプリングを行っていたが、図３に示すように、この水平駆動回路４に代えて、２つの水平駆動回路４Ａ，４Ｂを備えるようにしてもよい。
【００５７】
水平駆動回路４Ａは、サンプリングパルスラインＳＰ１〜ＳＰｍに接続され、サンプリングスイッチ群２０１〜サンプリングスイッチ群２０ｍに対して、サンプリングスイッチ群２０１から順に所定のノンオーバーラップ時間毎にサンプリングパルスを供給する。一方、水平駆動回路４Ｂは、サンプリングパルスラインＳＰｍ＋１〜ＳＰ２ｍに接続され、サンプリングスイッチ群２０ｍ＋１〜サンプリングスイッチ群２０２ｍに対して、サンプリングスイッチ群２０ｍ＋１から順に所定のノンオーバーラップ時間毎にサンプリングパルスを供給する。
【００５８】
この時、水平駆動回路４Ａ、水平駆動回路４Ｂは、例えば、サンプリングスイッチ群２０１と、サンプリングスイッチ群２０ｍ＋１とに供給するサンプリングパルスの供給タイミングが同じとなるように駆動する。つまり、水平駆動回路４Ａ、水平駆動回路４Ｂは、垂直駆動回路３によって選択された行方向の画素１３に対して、左半分に配列されている２４個の画素１３と、右半分に配列されている２４個の画素１３に対して同時にサンプリングを行うことになる。
【００５９】
したがって、表示装置１を図３に示すような構成とし、４８本の映像信号入力ラインＳＩＧ１〜ＳＩＧ４８を、左右対称の配線レイアウトとなるように、画素アレイ部２に対して左方向及び右方向から２４本ずつ引き回し、水平駆動回路４Ａ及び水平駆動回路４Ｂによって同じタイミングでサンプリングパルスを供給することで、４８個の画素１３を同時にサンプリングすることができる。
【００６０】
このように、図２に示す表示装置１の水平駆動回路４を水平駆動回路４Ａ，４Ｂに代えて、表示装置１を図３に示すように変更しても、寄生容量、配線抵抗を全く変化させずに、行方向の画素１３に対する書き込み速度を２倍にすることができる。
【００６１】
すなわち、サンプリングパルスのパルス幅を、図２に示すように水平駆動回路４のみがある場合と比較して最大２倍まで取ることが可能となり、十分な書き込み時間の確保が実現できる。よって、ゴースト発生の確実な抑制、縦帯スジの除去を確実に実行することができる。
【００６２】
さらに、図２、図３を用いて示した映像信号入力ラインＳＩＧ１〜ＳＩＧ４８の材料を適切に選択し、ラインの径をほぼ同一にし、配線長、配線レイアウトを限りなく左右対称となるようにすることで、映像信号入力ラインＳＩＧ１〜ＳＩＧ２４と、映像信号入力ラインＳＩＧ２５〜ＳＩＧ４８との寄生容量差がなくなるため、表示画像の左半分の画像と、右半分の画像との相違を吸収することができ自然な画像を表示させることができる。
【００６３】
なお、本発明を実施するための最良の形態として示した表示装置１は、アクティブマトリクス型の液晶表示装置としたが、もちろん、本発明を有機ＥＬディスプレイなど、他のＦＤＰ（Flat Panel Display）に適用することもできる。
【図面の簡単な説明】
【００６４】
【図１】本発明を実施するための最良の形態として示す表示装置の概略構成を説明するための図である。
【図２】同表示装置において、映像信号入力ラインの配線レイアウトを示した図である。
【図３】同表示装置において、２つの水平駆動回路を設けた場合について説明するための図である。
【図４】４８本の映像信号入力ラインを片側から引き回した配線レイアウトの表示装置について説明するための図である。
【図５】ゴーストの発生について説明するための図であり、（ａ）は、波形がなまった映像信号を示した図であり、（ｂ），（ｃ），（ｄ）は、波形がなまったサンプリングパルスを示した図である。
【図６】サンプリングパルスのパルス幅を狭パルス幅とした場合の影響について説明するための図であり、（ａ），（ｂ）は、それぞれパルス幅が異なる狭パルス幅のサンプリングパルスを示した図であり、（ｃ）は、上記パルスによる信号ラインのホールド電位を示した図である。
【図７】狭パルス幅のサンプリングパルスによって映像信号を書き込んだ場合に発生する縦帯スジを示した図である。
【符号の説明】
【００６５】
１    表示装置、２    画像アレイ部、３    垂直駆動回路、４，４Ａ，４Ｂ    水平駆動回路、１２    信号ライン、１３    画素、２０２ｍ    サンプリングスイッチ群、ＳＩＧ１〜ＳＩＧ４８    映像信号入力ライン、ＢＳＩＧ１〜ＢＳＩＧ２４    映像信号引き込みライン、ＳＰ２ｍ    サンプリングパルスライン
【図１】
2005070444.tif 000003
【図２】
2005070444.tif 000004
【図３】
2005070444.tif 000005
【図４】
2005070444.tif 000006
【図５】
2005070444.tif 000007
【図６】
2005070444.tif 000008
【図７】
2005070444.tif 000009